(57)【特許請求の範囲】
【請求項１】
各種袋物の本体に接着して使用される提げ手部材であって、
下面側が袋物本体への接着面に形成された平板状の装着板と、この装着板の上面側に形成された把持板部とからなり、
前記把持板部は、前記装着板の上面に一定の間隔を存して立設された一対の垂直板と、これら垂直板の上端縁同士を連結する連結板と、前記一対の垂直板の対向する位置にそれぞれ上向き略コ字状に形成された切込み部と、この切込み部により前記垂直板から切り開かれた一対の切込み板とからなり、
前記一対の切込み板を内側に折り込み、かつ、前記連結板の下面側で折り重ねることによって把持部が形成されることを特徴とする提げ手部材。
【請求項２】
前記把持板部は、１枚の板状部材からなり、前記板状部材の中央部が一定幅の短冊形状の連結板に形成され、この連結板の左側縁から第１折曲線を介して左垂直板が形成され、前記連結板の右側縁から第２折曲線を介して右垂直板が形成され、前記左垂直板の左側縁から第３折曲線を介して前記装着板の左上面に接着される左接着板が形成され、前記右垂直板の右側縁から第４折曲線を介して前記装着板の右上面に接着される右接着板が形成され、かつ、前記切り込み部の左右両端を結ぶ直線状に第５折曲線が形成されるとともに、前記切込み板の左右方向の略中央部に第６折曲線が形成されたものであって、前記第１折曲線及び第２折曲線をそれぞれ略９０度に山折りし、前記第３折曲線及び第４折曲線をそれぞれ略９０度に谷折りした状態で前記左右接着板が前記装着板の上面にそれぞれ接着され、前記第５折曲線を略４５度に山折りし、前記第６折曲線を略９０度に山折りして両切込み板を前記連結板の下面側で折り重ねることによって断面略三角形状の把持部が形成されることを特徴とする請求項１に記載の提げ手部材。
【請求項３】
前記装着板及び前記把持板部が繊維入りの紙部材または不織布により形成されていることを特徴とする請求項１または請求項２に記載の提げ手部材。
【請求項４】
各種袋物の開口縁部を合わせて閉じた状態で、その開口縁部を両側から挟み込むように挟持する挟持板と、この挟持板の上部側に第１折曲線を介して連接された把持板とからなり、
前記挟持板は、片面が接着面に形成されるとともに、その略中央部に下向き略コ字状の第１切込み部が形成され、かつ、この第１切込み部の両端を結ぶ直線状に第２折曲線が形成されており、
前記把持板は、その幅が前記第１切込み部により切り開かれた開口部に挿入可能な幅に形成されるとともに、その高さ方向の略中央部に前記第１折曲線と平行に第３折曲線が形成されており、
前記第１切込み部により挟持板から切り開かれた切込み板を、前記第２折曲線を介して接着面側に折り曲げることにより、前記挟持板の接着面と切込み板の接着面とで前記袋物の合わせて閉じられた両開口縁部を両側から挟み込むように接着固定し、
前記把持板を前記第１折曲線に沿って一方向に折り曲げるとともに、前記開口部を通した後、前記第３折曲線に沿ってさらに同方向に折り曲げることにより把持部が形成されることを特徴とする提げ手部材。
【請求項５】
前記第３折曲線の両端縁に、第３折曲線に沿って所定長さの第２切込み部が形成されており、前記把持板を前記第１折曲線に沿って一方向に折り曲げるとともに、前記開口部を通した後、前記第３折曲線に沿ってさらに同方向に折り曲げたとき、前記第２切込み部が、前記第１切込み部により切り開かれた開口部の上端角縁部にそれぞれ挟み込まれることを特徴とする請求項４に記載の提げ手部材。
【請求項６】
前記第１折曲線と前記第３折曲線との間の幅が、前記第１折曲線と前記開口部の上端縁との間の幅より広く形成されていることにより、前記把持板を前記第１折曲線に沿って一方向に折り曲げるとともに、前記開口部を通した後、前記第３折曲線に沿ってさらに同方向に折り曲げたとき、前記第１折曲線と前記第３折曲線との間の把持板が湾曲状に膨出することを特徴とする請求項５に記載の提げ手部材。
【請求項７】
前記第１折曲線と前記第３折曲線との間の幅が、前記第１折曲線と前記開口部の上端縁との間の幅より広く形成されるとともに、前記第１折曲線と前記第３折曲線との間に第４折曲線が形成され、前記把持板を前記第１折曲線に沿って一方向に折り曲げるとともに、前記開口部を通した後、前記第３折曲線に沿ってさらに一方向に折り曲げたとき、前記第１折曲線と前記第３折曲線との間の把持板が、前記第４折曲線を頂点とする断面略三角形状に形成されることを特徴とする請求項５に記載の提げ手部材。
【請求項８】
前記挟持板及び前記把持板が繊維入りの紙部材または不織布により形成されていることを特徴とする請求項４ないし請求項７のいずれかに記載の提げ手部材。
【請求項９】
各種袋物の開口縁部を合わせて閉じた状態で、その開口縁部を両側から挟み込むように挟持する挟持板と、この挟持板の上部側に連接された係止板とからなり、
前記挟持板は、片面が接着面に形成されるとともに、その略中央部に下向き略コ字状の第１切込み部が形成され、かつ、この第１切込み部の両端を結ぶ直線状に第１折曲線が形成されており、
前記係止板には、肩下げ用の紐材を挿入可能な左右一対の挿入孔が形成されており、
前記第１切込み部により挟持板から切り開かれた切込み板を、前記第１折曲線を介して接着面側に折り曲げることにより、前記挟持板の接着面と切込み板の接着面とで前記袋物の合わせて閉じられた両開口縁部を両側から挟み込むように接着固定し、
前記係止板の挿入孔に肩下げ用の紐材の両端を挿入係止することを特徴とする肩下げ部材。
【発明の詳細な説明】
【０００１】
【発明の属する技術分野】
本発明は、持ち手の付いていない箱状の容器（例えば、段ボール箱や紙箱等）や、袋状の容器（紙袋やビニール袋等）に物を入れて持ち運ぶ際に、その箱状容器や袋状容器に装着可能な提げ手部材及び肩下げ部材に関する。
【０００２】
【従来の技術】
従来より、提げ手の付いていない段ボール箱や紙箱等の箱状容器に、一定の間隔を存して紐を掛け渡し、それぞれの紐に両端部の鉤状フックを引っ掛けることにより、持ち運び可能とする樹脂製の提げ手部材が提供されている。しかし、この提げ手部材は、段ボール箱や紙箱等に紐を掛けない限り使用することができない。
【０００３】
そこで、このような紐が無くても、段ボール箱等の箱状容器に簡単に取り付けることのできる提げ手部材が提案されている（特開平５−３４４９０９号公報参照）。
【０００４】
この提げ手部材１０１は、図１２（ａ）に示すように、箱状容器１２０の上面に接着固定するための接着板１０２を備えている。そして、接着板１０２の左右両側を接着板１０２の上面側にそれぞれ折り返し、さらに、折り返し片１０３，１０３の付き合わさった先端部分を上方に折り起こして支持板１０４，１０４を形成している。そして、この支持板１０４，１０４の間に、下向きコ字形に折曲形成された紙片からなる提げ手１０５の両端部が挿入され、接着剤により挟持固定されるようになっている。接着板１０２の下面には、その全面に例えば両面テープが貼着されており、提げ手部材１０１を箱状容器１２０に取り付けるときには、両面テープの離型紙を剥がして接着する。
【０００５】
この提げ手部材１０１によれば、段ボール箱等の箱状容器１２０の上面に接着することにより、簡単に提げ手付きの箱状容器とすることができる。
【０００６】
【発明が解決しようとする課題】
しかしながら、この提げ手部材１０１によれば、取り付けられた提げ手部材１０１を把持して箱状容器１２０を持ち上げたとき、図１２（ａ）中に白抜きの矢符で示すように、箱状容器１２０の全荷重が提げ手部材１０１の支持板１０４，１０４の合わせ部分Ｐ１１の１点に集中するため、長い時間持ち歩いていると、図１２（ｂ）に示すように、折り返し片１０３が接着板１０２から剥がれて行き、最後には提げ手１０５が取れて、箱状容器が落下してしまうといった問題があった。
【０００７】
また、接着板１０２の下面と箱状容器１２０の上面との接着面においても、合わせ部分Ｐ１１から離れた両端部の接着面が徐々に剥がれて行き、最後には合わせ部分Ｐ１１の近傍まで剥がれて、箱状容器が突然落下してしまうといった問題があった。
【０００８】
実験した結果では、２〜３ｋｇの荷重でも、１０分程度で折り返し片１０３の剥離や、接着板１０２の下面と箱状容器１２０の上面との接着面の剥離が生じ始めた。
【０００９】
本発明は係る問題点を解決すべく創案されたもので、その目的は、数ｋｇ程度の荷重でも、長時間に渡って箱状容器や袋状容器に安定的に接着固定することのできる提げ手部材及び肩掛け部材を提供することにある。
【００１０】
【課題を解決するための手段】
本発明の提げ手部材は、各種袋物の本体に接着して使用される提げ手部材であって、下面側が袋物本体への接着面に形成された平板状の装着板と、この装着板の上面側に形成された把持板部とからなり、前記把持板部は、前記装着板の上面に一定の間隔を存して立設された一対の垂直板と、これら垂直板の上端縁同士を連結する連結板と、前記一対の垂直板の対向する位置にそれぞれ上向き略コ字状に形成された切込み部と、この切込み部により前記垂直板から切り開かれた一対の切込み板とからなり、前記一対の切込み板を内側に折り込み、かつ、前記連結板の下面側で折り重ねることによって把持部が形成されることを特徴とする。
【００１１】
また、前記把持板部は、１枚の板状部材からなり、前記板状部材の中央部が一定幅の短冊形状の連結板に形成され、この連結板の左側縁から第１折曲線を介して左垂直板が形成され、前記連結板の右側縁から第２折曲線を介して右垂直板が形成され、前記左垂直板の左側縁から第３折曲線を介して前記装着板の左上面に接着される左接着板が形成され、前記右垂直板の右側縁から第４折曲線を介して前記装着板の右上面に接着される右接着板が形成され、かつ、前記切り込み部の左右両端を結ぶ直線状に第５折曲線が形成されるとともに、前記切込み板の左右方向の略中央部に第６折曲線が形成されたものであって、前記第１折曲線及び第２折曲線をそれぞれ略９０度に山折りし、前記第３折曲線及び第４折曲線をそれぞれ略９０度に谷折りした状態で前記左右接着板が前記装着板の上面にそれぞれ接着され、前記第５折曲線を略４５度に山折りし、前記第６折曲線を略９０度に山折りして両切込み板を前記連結板の下面側で折り重ねることによって断面略三角形状の把持部が形成されることを特徴とする。
【００１２】
このような特徴を有する本発明によれば、２枚の垂直板が装着板の上面に一定の間隔を存して立設されているので、この提げ手部材を段ボール箱等の箱体容器に接着して持ち上げたとき、箱体容器の荷重が、それぞれの垂直板の下端部分に分散されてかかることになる。これにより、箱体容器にこの提げ手部材を装着し、提げ手部材を把持して長時間持ち歩いても、提げ手部材が箱状容器から簡単に離脱することはなく、長時間に渡って安定した接着状態を維持することができる。
【００１３】
また、把持部は、連結板と２枚の切込み板とによって断面略三角形状に形成されており、かつ、２枚の切込み板は重ね合わせた状態となるので、強度的にも十分であるとともに、手の指の折り曲げ形状にも合致し、非常に持ち易い形状の把持部とすることができる。
【００１４】
また、本発明の提げ手部材は、各種袋物の開口縁部を合わせて閉じた状態で、その開口縁部を両側から挟み込むように挟持する挟持板と、この挟持板の上部側に第１折曲線を介して連接された把持板とからなり、前記挟持板は、片面が接着面に形成されるとともに、その略中央部に下向き略コ字状の第１切込み部が形成され、かつ、この第１切込み部の両端を結ぶ直線状に第２折曲線が形成されており、前記把持板は、その幅が前記第１切込み部により切り開かれた開口部に挿入可能な幅に形成されるとともに、その高さ方向の略中央部に前記第１折曲線と平行に第３折曲線が形成されており、前記第１切込み部により挟持板から切り開かれた切込み板を、前記第２折曲線を介して接着面側に折り曲げることにより、前記挟持板の接着面と切込み板の接着面とで前記袋物の合わせて閉じられた両開口縁部を両側から挟み込むように接着固定し、前記把持板を前記第１折曲線に沿って一方向に折り曲げるとともに、前記開口部を通した後、前記第３折曲線に沿ってさらに同方向に折り曲げることにより把持部が形成されることを特徴とする。
【００１５】
このような特徴を有する本発明によれば、挟持板と切込み板とによって、合わせて閉じた状態の袋物の開口縁部を両側から挟み込むように接着して挟持固定するので、袋物の荷重は、接着面に沿う方向にかかることになる。これにより、袋物にこの提げ手部材を装着し、提げ手部材を把持して長時間持ち歩いても、提げ手部材が袋物の開口縁部から簡単に離脱することはなく、長時間に渡って安定した接着状態を維持することができる。
【００１６】
また、把持部は、把持板を第１折曲線に沿って一方向に折り曲げるとともに、開口部を通した後、第３折曲線に沿ってさらに同方向に折り曲げることにより形成される。つまり、把持部は、少なくとも把持板の３倍の厚みになるので、手への当たり面積も広くなり、持ち易い形状となっている。
【００１７】
また、本発明の提げ手部材によれば、前記第３折曲線の両端縁に、第３折曲線に沿って所定長さの第２切込み部が形成されており、前記把持板を前記第１折曲線に沿って一方向に折り曲げるとともに、前記開口部を通した後、前記第３折曲線に沿ってさらに同方向に折り曲げたとき、前記第２切込み部が、前記第１切込み部により切り開かれた開口部の上端角縁部にそれぞれ挟み込まれることを特徴とする。
【００１８】
この場合、第１折曲線と第３折曲線との間の幅が、第１折曲線と開口部の上端縁との間の幅より広くなるように形成しておけば、把持板を第１折曲線に沿って一方向に折り曲げるとともに、開口部を通した後、第３折曲線に沿ってさらに同方向に折り曲げたとき、第１折曲線と第３折曲線との間の把持板が湾曲状に膨出することになる。この膨出形状は、把持板部分を手で持ったとき、手の指の折り曲げ形状にほぼ合致するので、非常に持ち易い形状の把持部とすることができる。
【００１９】
また、第１折曲線と第３折曲線との間の幅が、第１折曲線と開口部の上端縁との間の幅より広くなるように形成し、かつ、第１折曲線と第３折曲線との間に第４折曲線を形成しておけば、把持板を第１折曲線に沿って一方向に折り曲げるとともに、開口部を通した後、第３折曲線に沿ってさらに一方向に折り曲げたとき、第１折曲線と第３折曲線との間の把持板が、第４折曲線を頂点とする断面略三角形状に形成されることになる。この三角形状は、把持板部分を手で持ったとき、手の指の折り曲げ形状にほぼ合致するので、非常に持ち易い形状の把持部とすることができる。
【００２０】
また、本発明の肩下げ部材は、各種袋物の開口縁部を合わせて閉じた状態で、その開口縁部を両側から挟み込むように挟持する挟持板と、この挟持板の上部側に連接された係止板とからなり、前記挟持板は、片面が接着面に形成されるとともに、その略中央部に下向き略コ字状の第１切込み部が形成され、かつ、この第１切込み部の両端を結ぶ直線状に第１折曲線が形成されており、前記係止板には、肩下げ用の紐材を挿入可能な左右一対の挿入孔が形成されており、前記第１切込み部により挟持板から切り開かれた切込み板を、前記第１折曲線を介して接着面側に折り曲げることにより、前記挟持板の接着面と切込み板の接着面とで前記袋物の合わせて閉じられた両開口縁部を両側から挟み込むように接着固定し、前記係止板の挿入孔に肩下げ用の紐材の両端を挿入係止することを特徴とする。
【００２１】
このような特徴を有する本発明によれば、挟持板と切込み板とによって、合わせて閉じた状態の袋物の開口縁部を両側から挟み込むように接着して挟持固定するので、袋物の荷重は、接着面に沿う方向にかかることになる。これにより、袋物にこの肩下げ部材を装着し、係止板の挿入孔に肩下げ用の紐部材の両端部をそれぞれを通して結着すれば、長時間下げ歩いても、肩下げ部材が袋物の開口縁部から簡単に離脱することはなく、長時間に渡って安定した接着状態を維持することができる。
【００２２】
なお、上記の提げ手部材や肩下げ部材に使用する材料としては、繊維入りの紙部材や不織布などが強度的に好適である。
【００２３】
【発明の実施の形態】
以下、本発明の実施の形態について、図面を参照して説明する。
【００２４】
［実施の形態１］
図１ないし図３は、本実施の形態１の提げ手部材を示す説明図であり、図１は分解斜視図、図２（ａ）は側面図、（ｂ）は正面図、図３は使用状態を示す斜視図である。
【００２５】
本実施の形態１の提げ手部材１は、下面側が袋物本体への接着面１１に形成された平板状の装着板１０と、この装着板１０の上面１０ａ側に形成された把持板部１２とで形成されている。
【００２６】
接着面１１は、装着板１０の下面全体に設けられている。本実施の形態１では、この接着面１１は、両面テープの片面を装着板１０の下面全体に貼り付けることによって形成されている。そのため、使用するときには、もう片方の面（下面側）に貼着されている離型紙を剥がし、箱形状の容器（箱体容器）９１の上面９２に貼着して使用する（図３参照）。
【００２７】
把持板部１２は、装着板１０の上面１０ａに一定の間隔ｔを存して立設された一対の垂直板１４，１４と、これら垂直板１４，１４の上端縁同士を連結する連結板１３と、一対の垂直板１４，１４の対向する位置にそれぞれ上向き略コ字状に形成された切込み部１７，１７と、これら切込み部１７，１７により垂直板１４，１４から切り開かれた一対の切込み板１６，１６とからなる。
【００２８】
より具体的に説明すると、把持板部１２は、１枚の板状部材からなり、この板状部材の中央部が一定幅の短冊形状の連結板１３に形成され、この連結板１３の左側縁から第１折曲線Ａ１を介して左垂直板（以下、単に「垂直板」ともいう）１４が形成され、連結板１３の右側縁から第２折曲線Ａ２を介して右垂直板（以下、単に「垂直板」ともいう）１４が形成され、左垂直板１４の左側縁から第３折曲線Ａ３を介して装着板１０の左上面１０ａ１に接着される左接着板（以下、単に「接着板」ともいう）１５が形成され、右垂直板１４の右側縁から第４折曲線Ａ４を介して装着板１０の右上面１０ａ２に接着される右接着板（以下、単に「接着板」ともいう）１５が形成されている。また、垂直板１４に形成された切り込み部１７の左右両端を結ぶ直線状に第５折曲線Ａ５（本実施の形態では、第１折曲線Ａ１及び第２折曲線Ａ２に一致している）が形成されるとともに、切込み部１７，１７により垂直板１４，１４から切り開かれた一対の切込み板１６，１６の左右方向（図１では高さ方向となっている）の略中央部にそれぞれ第６折曲線Ａ６が形成されている。
【００２９】
そして、平板状態から、第１折曲線Ａ１及び第２折曲線Ａ２をそれぞれ略９０度に山折りし、第３折曲線Ａ３及び第４折曲線Ａ４をそれぞれ略９０度に谷折りした状態で、左右接着板１５，１５を装着板１０の左上面１０ａ１と右上面１０ａ２とにそれぞれ接着剤にて接着することにより、把持板部１２を装着板１０に一体的に接着している。
【００３０】
本実施の形態１においては、提げ手部材１を使用しないときには、この状態から垂直板１４，１４を左右いずれかの方向に押し倒しておけば、嵩張らずに保管することができる。
【００３１】
また、この提げ手部材１を使用するときには、装着板１０の下面に貼着されている両面テープの離型紙を剥がして接着面１１を露出させた状態で、箱体容器９１の上面９２に貼着し、次に、押し倒していた垂直板１４，１４を起立させた後、左右の切込み板１６，１６の第５折曲線Ａ５をそれぞ略４５度に山折りし、第６折曲線Ａ６をそれぞれ略９０度にさらに山折りして、両切込み板１６，１６を連結板１３の下面側で折り重ねることにより、図２（ａ）に示すように、断面略三角形状の把持部が形成される。
【００３２】
このように、把持部は、連結板１３と２枚の切込み板１６，１６とによって断面略三角形状に形成されており、かつ、２枚の切込み板１６，１６は重ね合わせた状態となるので、強度的にも十分である。また、手の指の折り曲げ形状にもほぼ合致することから、非常に持ち易い形状となっている。
【００３３】
なお、垂直板１４，１４の間隔ｔは、手の大きさとの関係から、３ｃｍ程度が良い。また、この提げ手部材１に使用する材料としては、繊維入りの紙部材や不織布などが強度的に好適である。
【００３４】
このような構造の提げ手部材１を箱状容器に接着して持ち上げると、図２（ａ）中に白抜きの矢符で示すように、箱状容器の荷重が一対の垂直板１４，１４の下端部分の２点Ｐ１，Ｐ２に分散されるため、長い時間持ち歩いても、左右接着板１５，１５が装着板１０の左上面１０ａ１及び右上面１０ａ２から簡単に剥がれることはない。
【００３５】
また、接着面１１と箱状容器の上面との接着面においても、点Ｐ１，Ｐ２から離れた両端部の接着面が、短時間の間に徐々に剥がれて行くといったこともない。これは、荷重が垂直板１５，１５の下端部分Ｐ１，Ｐ２に分散されることに加え、垂直板１５，１５の下端部分Ｐ１，Ｐ２から装着板の１０両端部分までの距離が、従来技術で示す構造のものに比べて短くなるため、装着板１０の両端部分の接着面の剥がれが軽減されると考えられる。
【００３６】
本出願人は、このような構造の提げ手部材１を用いて実際に耐久試験を行った。この試験では、装着板１０の形状、すなわち接着面１１の形状を、縦１３ｃｍ、横１０ｃｍとし、垂直板１４，１４の間隔ｔを３ｃｍとした。また、接着面１１に使用した両面テープは、市販の両面テープを使用した。ただし、厚みのある両面テープを使用した。そして、この提げ手部材１を５ｋｇの重さの箱体容器の上面中央部に接着して、静的状態で吊り下げて荷重実験を行った。
【００３７】
その結果、実験開始から９時間１５分経過したところで、接着面１１と箱状容器の上面との接着部分の一部に少しの膨らみが生じたが、この時点でも十分な接着力を保持していた。簡易的な提げ手部材としては、８時間以上持てば十分である。一方、このまま実験を続けた結果、実験開始から２１時間１５分後に、落下寸前まで剥離が進行した。
【００３８】
因みに、この提げ手部材１を４ｋｇの重さの箱体容器の上面中央部に接着して、静的状態で吊り下げて荷重実験を行った結果、実験開始から３８時間を経過しても、上記の膨らみは生じなかった。
【００３９】
なお、上記の提げ手部材１に使用する材料としては、繊維入りの紙部材や不織布などが強度的に好適である。
【００４０】
［実施の形態２］
図４ないし図７は、本実施の形態２の提げ手部材２を示す説明図であり、図４は正面図、図５は使用状態を示す正面図、図６は断面図、図７は使用状態を示す全体斜視図である。
【００４１】
本実施の形態２の提げ手部材２は、ビニール袋や紙袋等の上部が開口した袋物８１の開口縁部８２を合わせて閉じた状態で、その開口縁部８２を両側から挟み込むように挟持する挟持板２１と、この挟持板２１の上部側に第１折曲線Ｂ１を介して連接された把持板２６とで形成されている。
【００４２】
挟持板２１は、片面が接着面（図４中、破線により示す）２２に形成されるとともに、その略中央部に下向き略コ字状の第１切込み部２３が形成され、かつ、この第１切込み部２３の両端を結ぶ直線状に第２折曲線Ｂ２が形成されている。
【００４３】
一方、把持板２６は、第１折曲線Ｂ１から上方に行くに従って次第に幅狭に形成され、その後、略台形状に形成されている。そして、その略台形状の部分の幅Ｗ１が、第１切込み部２３により切り開かれた開口部２５に挿入可能な幅に形成されるとともに、その略台形状部分の高さ方向の略中央部に、第１折曲線Ｂ１と平行に第３折曲線Ｂ３が形成されている。また、第３折曲線Ｂ３の両端縁に、第３折曲線Ｂ３に沿って所定長さの第２切込み部２７，２７がそれぞれが形成されている。
【００４４】
上記構成において、この提げ手部材２を使用するときには、第１切込み部２３により挟持板２１から切り開かれた切込み板２４を、第２折曲線Ｂ２を介して接着面２２側（図６において、矢符Ｑにより示す方向）に折り曲げることにより、挟持板２１の接着面２２と切込み板２４の接着面２２とで、袋物８１の合わせて閉じられた両開口縁部８２を両側から挟み込むように接着固定する（図５及び図７参照）。
【００４５】
この後、把持板２６を第１折曲線Ｂ１に沿って一方向（図６において、矢符Ｒにより示す方向）に折り曲げるとともに、開口部２５を通した後、第３折曲線Ｂ３に沿ってさらに同方向（矢符Ｒ方向）に折り曲げることにより、図５及び図６に示す形状の把持部２８が形成される。
【００４６】
このとき、第３折曲線Ｂ３の両端に形成された第２切込み部２７，２７が、湾曲状に形成された開口部２５の上端角縁部２５ａ，２５ａにそれぞれ嵌まり込む（図５参照）ことにより、折り曲げた把持板２６が開口部２５から不測に抜けないようになっている。
【００４７】
またこのとき、第１折曲線Ｂ１と第３折曲線Ｂ３との間の幅Ｗ２が、第１折曲線Ｂ１と開口部２５の上端縁２５ｂとの間の幅Ｗ３より広くなるように形成しておけば、把持板２６を第１折曲線Ｂ１に沿ってＲ方向に折り曲げるとともに、開口部２５を通した後、第３折曲線Ｂ３に沿ってさらにＲ方向に折り曲げたとき、第１折曲線Ｂ１と第３折曲線Ｂ３との間の把持板部分が湾曲状に膨出することになる。この膨出形状は、把持部２８を手で持ったとき、手の指の折り曲げ形状にほぼ合致するので、非常に持ち易い形状の把持部２８とすることができる。
【００４８】
さらにこのとき、第１折曲線Ｂ１と第３折曲線Ｂ３との間に第４折曲線Ｂ４を形成しておけば、把持板２６を第１折曲線Ｂ１に沿ってＲ方向に折り曲げるとともに、開口部２５を通した後、第３折曲線Ｂ３に沿ってさらにＲ方向に折り曲げたとき、第１折曲線Ｂ１と第３折曲線Ｂ３との間の把持板部分が、第４折曲線Ｂ４を頂点とする断面略三角形状（図６参照）に形成されることになる。この三角形状は、把持部２８を手で持ったとき、手の指の折り曲げ形状にほぼ合致するので、非常に持ち易い形状の把持部２８とすることができる。
【００４９】
このような構造の提げ手部材２によれば、挟持板２１と切込み板２４とによって、合わせて閉じた状態の袋物８１の開口縁部８２を両側から挟み込むように接着して挟持固定するので、袋物８１の荷重は、接着面２２に沿う方向にかかることになる。これにより、袋物８１にこの提げ手部材２を装着し、提げ手部材２を把持して長時間持ち歩いても、提げ手部材２が袋物８１の開口縁部８２から簡単に離脱することはなく、長時間に渡って安定した接着状態を維持することができる。
【００５０】
図８は、本実施の形態２の提げ手部材２の他の使用状態の一例を示している。図７に示す使用状態は、提げ手部材２をあたかも手提げ袋の提げ手のようにして使用するものであるが、図８に示す使用状態では、提げ手部材２を箱物８３の左右両側面８４，８５にそれぞれ対向するようにして２個取り付けた使用状態を示している。
【００５１】
この場合、提げ手部材２，２の各挟持板２１，２１の接着面２２，２２を左右の各側面８４，８５にそれぞれ接着固定し、各切込み板２４，２４を内側に９０度折り曲げて箱物８３の上面８６にそれぞれ接着固定する。
【００５２】
これにより、持ち手の設けられていない単なる立方体形状の箱物８３に、持ち手である提げ手部材２，２を取り付けることができるので、箱物８３の持ち運びが便利になる。
【００５３】
このような使用状態の提げ手部材２によれば、箱物８３の荷重は、挟持板２１の接着面２２に沿う方向にかかることになる。これにより、箱物８３にこの提げ手部材２を２個装着し、両方の提げ手部材２，２を両手で把持して長時間持ち歩いても、提げ手部材２，２が箱物８３の側面８４，８５から簡単に離脱することがない。またこのとき、箱物８３の上面８６に接着された切込み板２４も、箱物８３の荷重を支える補助的な役目を果たすので、挟持板２１の接着力と切込み板２４の接着力とによって、安定した接着状態を維持することができる。
【００５４】
なお、上記の提げ手部材２に使用する材料としては、繊維入りの紙部材や不織布などが強度的に好適である。
【００５５】
［実施の形態３］
図８は、本実施の形態３の肩下げ部材３を示す正面図である。
【００５６】
本実施の形態３の肩下げ部材３は、ショルダータイプでない紙袋やビニール袋等の袋物を、簡単にショルダータイプの袋物に変身させることのできる肩下げ部材である。
【００５７】
すなわち、本実施の形態３の肩下げ部材３は、ショルダータイプでない紙袋やビニール袋等の袋物７１の開口縁部７２を合わせて閉じた状態で、その開口縁部７２を両側から挟み込むように挟持する挟持板３１と、この挟持板３１の上部側に連接された係止板３６とで構成されている。
【００５８】
挟持板３１は、片面が接着面（図８中、破線により示す）３２に形成されるとともに、その略中央部に下向き略コ字状の第１切込み部３３が形成され、かつ、この第１切込み部３３の両端を結ぶ直線状に第１折曲線Ｃ１が形成されている。
【００５９】
一方、係止板３６には、肩下げ用の紐材４１を挿入可能な左右一対の挿入孔３７，３７が形成されている。
【００６０】
上記構成において、この肩下げ部材３を使用するときには、第１切込み部２３により挟持板３１から切り開かれた切込み板３４を、第１折曲線Ｃ１を介して接着面３２側（図８において、紙面手前側）に折り曲げることにより、挟持板３１の接着面３２と切込み板３４の接着面３２とで、袋物７１の合わせて閉じられた両開口縁部７２を両側から挟み込むように接着固定する。
【００６１】
この後、係止板３６の各挿入孔３７，３７に肩下げ用の紐材４１の両端部４２，４３をそれぞれ通して結着すればよい。これにより、紐部材を肩から下げて袋物７１を下げた場合、袋物７１の荷重は、接着面３２に沿う方向にかかることになるので、長時間下げ歩いても、肩下げ部材３が袋物７１の開口縁部７２から簡単に離脱することはなく、長時間に渡って安定した接着状態を維持することができる。
【００６２】
図１０は、本実施の形態３の肩下げ部材３の他の使用状態の一例を示している。
図９に示す使用状態は、肩下げ部材３を、あたかも袋物７１の肩下げ用の紐材４１を取り付ける部材として使用するものであるが、図１０に示す使用状態では、肩下げ部材３を箱物７３の左右両側面７４，７５にそれぞれ対向するようにして２個取り付け、この肩下げ部材３，３の各挿入孔３７，３７に首掛け用の紐材４４の両端部４５，４５に設けられた係止金具４６を挿入係止し、この紐材４４を首に掛けて（または、肩から首に回してたすき状に掛けて）、箱物７３を持ち上げるようにした使用状態を示している。
【００６３】
この場合、肩下げ部材３，３の各挟持板３１，３１の接着面３２，３２を左右の各側面７４，７５にそれぞれ接着固定し、各切込み板３４，３４を内側に９０度折り曲げて箱物７３の上面７６にそれぞれ接着固定する。
【００６４】
これにより、単なる立方体形状の箱物７３に、首掛け用の紐材４４を係止するための肩下げ部材３，３を取り付けることができるので、箱物７３の持ち運びが便利になる。
【００６５】
図１１は、首掛け用の紐材４４の両端部４５，４５に設けられた係止金具４６の形状を示している。この係止金具４６は、棒状の金属材を屈曲形成したものであって、首掛け用の紐材４４の端部４５に設けられた円筒形状の保持孔４５ａに挿入保持された本体部４６ａと、この本体部４６ａの両端部からそれぞれ下方に向かって鉤型に屈曲形成された係止部４６ｂ，４６ｂとからなり、この係止部４６ｂ，４６ｂを、肩下げ部材３の挿入孔３７，３７に挿入することで、首掛け用の紐材４４が肩下げ部材３に着脱可能に取り付けられるようになっている。
【００６６】
このような使用状態の肩下げ部材３によれば、箱物７３の荷重は、挟持板３１の接着面３２に沿う方向にかかることになる。これにより、箱物７３にこの肩下げ部材３を２個装着し、両方の肩下げ部材３，３に紐材４４の係止金具４６，４６をそれぞれ係止して、箱物７３を持ち上げても、肩下げ部材３，３が箱物７３の側面７４，７５から簡単に離脱することがない。またこのとき、箱物７３の上面７６に接着された切込み板３４も、箱物７３の荷重を支える補助的な役目を果たすので、挟持板３１の接着力と切込み板３４の接着力とによって、安定した接着状態を維持することができる。
【００６７】
なお、上記の肩下げ部材３に使用する材料としては、繊維入りの紙部材や不織布などが強度的に好適である。
【００６８】
【発明の効果】
本発明の提げ手部材によれば、提げ手部材を段ボール箱等の箱体容器に接着して持ち上げたとき、箱体容器の荷重が、それぞれの垂直板の下端部分に分散されてかかることになるので、装着板の両端部分の接着面の剥がれも軽減される。これにより、箱体容器にこの提げ手部材を装着し、提げ手部材を把持して長時間持ち歩いても、提げ手部材が箱状容器から簡単に離脱することはなく、長時間に渡って安定した接着状態を維持することができる。また、把持部は、連結板と２枚の切込み板とによって断面略三角形状に形成されており、かつ、２枚の切込み板は重ね合わせた状態となるので、強度的にも十分であるとともに、手の指の折り曲げ形状にも合致し、非常に持ち易い形状の把持部とすることができる。
【００６９】
また、本発明の提げ手部材によれば、挟持板と切込み板とによって、合わせて閉じた状態の袋物の開口縁部を両側から挟み込むように接着して挟持固定するので、袋物の荷重は、接着面に沿う方向にかかることになる。これにより、袋物にこの提げ手部材を装着し、提げ手部材を把持して長時間持ち歩いても、提げ手部材が袋物の開口縁部から簡単に離脱することはなく、長時間に渡って安定した接着状態を維持することができる。また、把持部は、把持板を第１折曲線に沿って一方向に折り曲げるとともに、開口部を通した後、第３折曲線に沿ってさらに同方向に折り曲げることにより形成される。つまり、把持部は、少なくとも把持板の３倍の厚みになるので、手への当たり面積も広くなり、持ち易い形状となっている。
【００７０】
また、第３折曲線の両端縁に、第３折曲線に沿って所定長さの第２切込み部が形成されており、この第２切込み部が、第１切込み部により切り開かれた開口部の上端角縁部にそれぞれ嵌まり込むことにより、折り曲げた把持板が開口部から不測に抜けることがない。そのため、第１折曲線と第３折曲線との間の幅が、第１折曲線と開口部の上端縁との間の幅より広くなるように形成しておけば、把持板を第１折曲線に沿って一方向に折り曲げるとともに、開口部を通した後、第３折曲線に沿ってさらに同方向に折り曲げたとき、第１折曲線と第３折曲線との間の把持板が湾曲状に膨出することになる。この膨出形状は、把持板部分を手で持ったとき、手の指の折り曲げ形状にほぼ合致するので、非常に持ち易い形状の把持部とすることができる。
【００７１】
さらに、第１折曲線と第３折曲線との間の幅が、第１折曲線と開口部の上端縁との間の幅より広くなるように形成し、かつ、第１折曲線と第３折曲線との間に第４折曲線を形成しておけば、把持板を第１折曲線に沿って一方向に折り曲げるとともに、開口部を通した後、第３折曲線に沿ってさらに一方向に折り曲げたとき、第１折曲線と第３折曲線との間の把持板が、第４折曲線を頂点とする断面略三角形状に形成されることになる。この三角形状は、把持板部分を手で持ったとき、手の指の折り曲げ形状にほぼ合致するので、非常に持ち易い形状の把持部とすることができる。
【００７２】
また、本発明の肩下げ部材によれば、挟持板と切込み板とによって、合わせて閉じた状態の袋物の開口縁部を両側から挟み込むように接着して挟持固定するので、袋物の荷重は、接着面に沿う方向にかかることになる。これにより、袋物にこの肩下げ部材を装着し、係止板の挿入孔に肩下げ用の紐部材の両端部をそれぞれを通して結着すれば、長時間下げ歩いても、肩下げ部材が袋物の開口縁部から簡単に離脱することはなく、長時間に渡って安定した接着状態を維持することができる。
【図面の簡単な説明】
【図１】本発明の実施の形態１の提げ手部材を示す分解斜視図である。
【図２】（ａ）は実施の形態１の提げ手部材の側面図、（ｂ）は同正面図である。
【図３】実施の形態１の提げ手部材の使用状態を示す斜視図である。
【図４】実施の形態２の提げ手部材を示す正面図である。
【図５】実施の形態２の提げ手部材の使用状態を示す正面図である。
【図６】実施の形態２の提げ手部材の断面図である。
【図７】実施の形態２の提げ手部材の使用状態を示す全体斜視図である。
【図８】実施の形態２の提げ手部材の他の使用状態を示す全体斜視図である。
【図９】実施の形態３の肩下げ部材の正面図である。
【図１０】実施の形態３の肩下げ部材の他の使用状態を示す全体斜視図である。
【図１１】首掛け用の紐材の両端部に設けられた係止金具の形状を示す要部拡大斜視図である。
【図１２】（ａ）は従来の提げ手部材の斜視図、（ｂ）は同側面図である。
【符号の説明】
１，２  提げ手部材
３  肩下げ部材
１１  接着面
１２  把持板部
１３  連結板
１４  垂直板（左垂直板、右垂直板）
１５  接着板（左接着板、右接着板）
１６  切込み板
１７  切込み部
２１  挟持板
２２  接着面
２３  第１切込み部
２４  切込み板
２５  開口部
２６  把持板
２７  第２切込み部
３１  挟持板
３２  接着面
３３  第１切込み部
３４  切込み板
３５  開口部
３６  係止板
３７  挿入穴
４１  肩下げ用の紐材
４４  首掛け用の紐材
４６  係止金具
７１，８１，９１  袋物
７２，８２  開口縁部
７３，８３  箱物
９２  上面
Ａ１，Ｂ１，Ｃ１  第１折曲線
Ａ２，Ｂ２  第２折曲線
Ａ３，Ｂ３  第３折曲線
Ａ４，Ｂ４  第４折曲線
Ａ５  第５折曲線
Ａ６  第６折曲線
【図１】
0003668211.tif 000002
【図２】
0003668211.tif 000003
【図３】
0003668211.tif 000004
【図４】
0003668211.tif 000005
【図５】
0003668211.tif 000006
【図６】
0003668211.tif 000007
【図７】
0003668211.tif 000008
【図８】
0003668211.tif 000009
【図９】
0003668211.tif 000010
【図１０】
0003668211.tif 000011
【図１１】
0003668211.tif 000012
【図１２】
0003668211.tif 000013